(57)【要約】【課題】無線通信システムのＣＥＬＬ＿ＦＡＣＨ（セルフォワードアクセスチャネル）状態のＵＥ（ユーザー端末）において、ＣＥＬＬ＿ＦＡＣＨ状態に対応する高速ダウンリンク機能の停止を判断する方法及び装置を提供する。【解決手段】方法は、専用Ｈ−ＲＮＴＩ（ＨＳ−ＤＳＣＨ無線ネットワークトランザクション識別子）に対応する専用変数の設定を起動状態から停止状態に変更する段階と、共通Ｈ−ＲＮＴＩに対応する共通変数の設定が停止状態であった場合に、上記専用変数の設定と共通変数の設定を有効なＲＲＣ（無線資源制御）構成と判断する段階とを含む。【選択図】図３
2008245281.tif 000002
【特許請求の範囲】
【請求項１】
無線通信システムのＣＥＬＬ＿ＦＡＣＨ（セルフォワードアクセスチャネル）状態のＵＥ（ユーザー端末）において、ＣＥＬＬ＿ＦＡＣＨ状態に対応する高速ダウンリンク機能の停止を判断する方法であって、
専用Ｈ−ＲＮＴＩ（ＨＳ−ＤＳＣＨ無線ネットワークトランザクション識別子）に対応する専用変数の設定を起動状態から停止状態に変更する段階と、
共通Ｈ−ＲＮＴＩに対応する共通変数の設定が停止状態であった場合に、上記専用変数の設定と共通変数の設定を有効なＲＲＣ（無線資源制御）構成と判断する段階とを含むことを特徴とする高速ダウンリンク機能停止の判断方法。
【請求項２】
前記方法は更に、専用変数の設定が起動状態から停止状態になり、かつ共用変数の設定が停止状態である場合に、高速ダウンリンク機能を停止する段階を含むことを特徴とする請求項１に記載の高速ダウンリンク機能停止の判断方法。
【請求項３】
前記高速ダウンリンク機能は、ＣＥＬＬ＿ＦＡＣＨ状態のＨＳ−ＤＳＣＨ（高速ダウンリンク共用チャネル）受信機能を含むことを特徴とする請求項１に記載の高速ダウンリンク機能停止の判断方法。
【請求項４】
前記専用変数の設定を起動状態から停止状態に変更することは、ＨＳ＿ＤＳＣＨ＿ＲＥＣＥＰＴＩＯＮ＿ＣＥＬＬ＿ＦＡＣＨ＿ＳＴＡＴＥ変数の設定を真から偽に変更することを特徴とする請求項３に記載の高速ダウンリンク機能停止の判断方法。
【請求項５】
前記共通変数の設定が停止状態であることは、ＨＳ＿ＤＳＣＨ＿ＲＥＣＥＰＴＩＯＮ＿ＯＦ＿ＣＣＣＨ変数の設定が偽であることを特徴とする請求項３に記載の高速ダウンリンク機能停止の判断方法。
【請求項６】
前記専用変数の設定と共通変数の設定を有効なＲＲＣ構成と判断することは、ＩＮＶＡＬＩＤ＿ＣＯＮＦＩＧＵＲＡＴＩＯＮ変数を偽に保持することを含むことを特徴とする請求項３に記載の高速ダウンリンク機能停止の判断方法。
【請求項７】
無線通信システムにおいてＣＥＬＬ＿ＦＡＣＨ状態に対応する高速ダウンリンク機能の停止を判断し、ＲＲＣ接続のセル段を回避する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記憶する記憶装置とを含み、前記プログラムコードは、
専用Ｈ−ＲＮＴＩに対応する専用変数の設定を起動状態から停止状態に変更するコードと、
共通Ｈ−ＲＮＴＩに対応する共通変数の設定が停止状態であった場合に、上記専用変数の設定と共通変数の設定を有効なＲＲＣ構成と判断するコードとを含むことを特徴とする通信装置。
【請求項８】
前記プログラムコードは更に、専用変数の設定が起動状態から停止状態になり、かつ共用変数の設定が停止状態である場合に、高速ダウンリンク機能を停止するコードを含むことを特徴とする請求項７に記載の通信装置。
【請求項９】
前記高速ダウンリンク機能は、ＣＥＬＬ＿ＦＡＣＨ状態のＨＳ−ＤＳＣＨ受信機能を含むことを特徴とする請求項７に記載の通信装置。
【請求項１０】
前記専用変数の設定を起動状態から停止状態に変更することは、ＨＳ＿ＤＳＣＨ＿ＲＥＣＥＰＴＩＯＮ＿ＣＥＬＬ＿ＦＡＣＨ＿ＳＴＡＴＥ変数の設定を真から偽に変更することを特徴とする請求項９に記載の通信装置。
【請求項１１】
前記共通変数の設定が停止状態であることは、ＨＳ＿ＤＳＣＨ＿ＲＥＣＥＰＴＩＯＮ＿ＯＦ＿ＣＣＣＨ変数の設定が偽であることを特徴とする請求項９に記載の通信装置。
【請求項１２】
前記専用変数の設定と共通変数の設定を有効なＲＲＣ構成と判断することは、ＩＮＶＡＬＩＤ＿ＣＯＮＦＩＧＵＲＡＴＩＯＮ変数を偽に保持することを含むことを特徴とする請求項９に記載の通信装置。
【発明の詳細な説明】
【技術分野】
【０００１】
本発明は無線通信システムにおいてＣＥＬＬ＿ＦＡＣＨ（セルフォワードアクセスチャネル）状態の高速ダウンリンク機能停止を改善する方法及び装置に関し、特に無線通信システムのＣＥＬＬ＿ＦＡＣＨ状態のＵＥ（ユーザー端末）において高速ダウンリンク機能の停止を判断する方法及び装置に関する。
【背景技術】
【０００２】
第三世代移動通信技術はＷＣＤＭＡ（広帯域多元分割接続）方式で高スペクトル利用効率、高カバー率、優れた通話品質と高速のマルチメディアデータ伝送を実現するとともに、ＱｏＳ（サービス品質）の確保、柔軟性のある双方向通信の実現、よりよい通信品質の提供、通話中断率の低減に大きく寄与する。第三世代移動通信システムを通して、ユーザーは無線通信装置（例えば携帯電話）で映像通信、電話会議、オンラインゲーム、オンラインミュージック、電子メールを楽しむことができる。もっとも、これらの機能は迅速かつ実時間の送信機能に頼る。帯域幅の利用効率とパケットデータの処理効率を向上させ、上り・下りの送信速度を改善するために、従来の第三世代移動通信技術にはＨＳＤＰＡ（高速ダウンリンクパケットアクセス）とＨＳＵＰＡ（高速アップリンクパケットアクセス）が導入された。ＨＳＤＰＡ技術をもとに、３ＧＰＰ（第三世代パートナーシッププロジェクト）はＲＲＣ接続モードのＣＥＬＬ＿ＦＡＣＨ（セルフォワードアクセスチャネル）状態に高速ダウンリンク共用チャネル受信機能を導入した。同機能は、ＣＥＬＬ＿ＦＡＣＨ状態のＵＥでＨＳ−ＤＳＣＨ（高速ダウンリンク共用チャネル）とＨＳ−ＳＣＣＨ（ＨＳ−ＤＳＣＨ共用制御チャネル）を合わせてダウンリンクデータを受信することを可能にし、ピークデータ率、信号遅延、状態遷移遅延、セルでサポート可能なＵＥ数を改善する。
【０００３】
ＵＴＲＡＮ（ＵＭＴＳ無線アクセスネットワーク）はシステム情報ブロードキャスト方式でＵＥ（ユーザー端末）の高速ダウンリンク受信機能を起動する。関連パラメータとしてはＨＳ−ＳＣＣＨ構成、ＨＳ−ＤＳＣＨ構成、及び共通Ｈ−ＲＮＴＩ（ＨＳ−ＤＳＣＨ無線ネットワーク識別子）パラメータなどがあり、これらのパラメータはＳＩＢ（システム情報ブロック）タイプ５／５ｂｉｓのダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ）というＩＥ（情報要素）を通してアイドリングモードのＵＥに送信されるか、またはＳＩＢタイプ６の接続モードダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ  ｆｏｒ  ｃｏｎｎｅｃｔｅｄ  ｍｏｄｅ）というＩＥを通してＲＲＣ接続モードのＵＥに送信される。
【０００４】
ＵＥは共通Ｈ−ＲＮＴＩまたは専用Ｈ−ＲＮＴＩを用いて高速ダウンリンク受信機能を実行することができる。共通Ｈ−ＲＮＴＩと専用Ｈ−ＲＮＴＩはＵＥのＩＤを示すものであって、これを利用すれば、ＵＥはそれ自身に属するダウンリンクパケットを受信することができる。共通Ｈ−ＲＮＴＩと専用Ｈ−ＲＮＴＩの相違点は、前者は複数のＵＥに用いられ、後者は特定のＵＥにのみ割り当てられることにある。ダウンリンクＭＡＣ（媒体アクセス制御）でのパケット受信過程では、共通Ｈ−ＲＮＴＩを用いるＵＥはパケットの中のＵＥ  ＩＤ情報、例えばパケットヘッダの中のＵＥ  ＩＤまたはＵＥ  ＩＤタイプをいちいち確認しなければならない。それに対して、専用Ｈ−ＲＮＴＩを用いるＵＥに送信するパケットはＵＥ  ＩＤ情報を含む必要がないので、データ伝送効率を向上させることができる。
【０００５】
ＵＥで共通Ｈ−ＲＮＴＩを取得する方法は、前記共通Ｈ−ＲＮＴＩパラメータから共通Ｈ−ＲＮＴＩを選出することを内容とする。一方、専用Ｈ−ＲＮＴＩはＲＲＣプロセス（例えばＲＲＣ確立プロセスまたはセル更新プロセス）でＵＴＲＡＮを通してＵＥに割り当てられ、ＵＥで受信された専用Ｈ−ＲＮＴＩはＵＥのＨ−ＲＮＴＩ変数に保存される。したがって、高速ダウンリンク受信機能の起動時、Ｈ−ＲＮＴＩ変数として既に所定値が設定されていれば、ＵＥは専用Ｈ−ＲＮＴＩを使用する。さもなければ共通Ｈ−ＲＮＴＩを使用する。
【０００６】
そのほか、ＵＥにはＨＳ＿ＤＳＣＨ＿ＲＥＣＥＰＴＩＯＮ＿ＣＥＬＬ＿ＦＡＣＨ＿ＳＴＡＴＥ変数とＨＳ＿ＤＳＣＨ＿ＲＥＣＥＰＴＩＯＮ＿ＯＦ＿ＣＣＣＨ変数があり、両者は専用Ｈ−ＲＮＴＩと共通Ｈ−ＲＮＴＩの使用状態に関する変数である。ＨＳ＿ＤＳＣＨ＿ＲＥＣＥＰＴＩＯＮ＿ＣＥＬＬ＿ＦＡＣＨ＿ＳＴＡＴＥ変数が真（ＴＲＵＥ）になることは、ＵＥで専用Ｈ−ＲＮＴＩを使用し、これに基づいてＤＴＣＨ（専用トラヒックチャネル）とＤＣＣＨ（専用制御チャネル）のパケットを受信することを示す。ＨＳ＿ＤＳＣＨ＿ＲＥＣＥＰＴＩＯＮ＿ＯＦ＿ＣＣＣＨ変数が真になることは、ＵＥで共通Ｈ−ＲＮＴＩを使用し、これに基づいてＣＣＣＨ（共通制御チャネル）に対応するパケットを受信することを示す。両変数がすべて偽（ＦＡＬＳＥ）になることは、ＵＥで高速ダウンリンク受信機能を停止することを示す。
【０００７】
従来のプロトコルによれば、高速ダウンリンク受信機能を起動するために、ＵＥは機能判断プロセスを実行して高速ダウンリンク受信機能を起動・停止する。このＵＥは次の条件に合致しなければならない。（１）ＣＥＬＬ＿ＦＡＣＨ状態にあること、（２）Ｈ−ＲＮＴＩ変数（専用Ｈ−ＲＮＴＩに対応する）の設定が完了したこと、（３）ＳＩＢタイプ５／５ｂｉｓにダウンリンクＨＳ−ＰＤＳＣＨシステム情報ＩＥが含まれるか、またはＳＩＢタイプ６に接続モードダウンリンクＨＳ−ＰＤＳＣＨシステム情報ＩＥが含まれること。これらの条件に合致した場合、ＵＥはＨＳ＿ＤＳＣＨ＿ＲＥＣＥＰＴＩＯＮ＿ＣＥＬＬ＿ＦＡＣＨ＿ＳＴＡＴＥ変数を真に設定し、上掲両ＩＥのいずれかの構成データに基づいて下位層（物理及びＭＡＣ層）高速ダウンリンク受信の関連動作を実行する。
【０００８】
ＵＥが上記条件のいずれかに合致せず、かつ上掲変数が既に真に設定された場合では、ＵＥは同変数を偽に再設定しなければならない。ＵＥがＣＥＬＬ＿ＦＡＣＨ状態になって、かつＨＳ＿ＤＳＣＨ＿ＲＥＣＥＰＴＩＯＮ＿ＯＦ＿ＣＣＣＨ変数が偽となった場合では、ＵＥは関連の高速ダウンリンク受信動作をすべて停止し、ＩＮＶＡＬＩＤ＿ＣＯＮＦＩＧＵＲＡＴＩＯＮ変数を真に設定する。ＩＮＶＡＬＩＤ＿ＣＯＮＦＩＧＵＲＡＴＩＯＮ変数を真に設定することは前掲量変数の設定状態が無効なＲＲＣ構成であることを示し、それに伴ってＵＥがＲＲＣ接続を切断してアイドリング状態に入ることもありうる。
【０００９】
以上のように、ＵＥは２つの状況でＩＮＶＡＬＩＤ＿ＣＯＮＦＩＧＵＲＡＴＩＯＮ変数を真に設定する。１つはＨ−ＲＮＴＩ変数が設定されていないか削除された場合、もう１つはＳＩＢタイプ５／５ｂｉｓとＳＩＢタイプ６のいずれにも前記対応ＩＥが含まれていない場合である。
【００１０】
一方、高速ダウンリンク受信機能を実行する間、ＵＥは特定の状況でセル更新プロセスを起動する。セル更新プロセスの起動原因としては、セル再選択、周期的セル更新、無線リンク障害、ＲＬＣ回復不能エラー、及びアップリンクデータ伝送などが挙げられる。また、ＵＲＡ（ＵＴＲＡＮ登録領域）再選択、周期的ＵＲＡ更新が起こったとき、ＵＥはＵＲＡ更新プロセスを実行する。上記両更新プロセスを実行するとき、ＵＥはＣＥＬＬ＿ＦＡＣＨ状態に進入しなければならない。
【００１１】
ＵＥでセル／ＵＲＡ再選択によりセル／ＵＲＡ更新プロセスを起動した場合、選ばれたセル／ＵＲＡが高速ダウンリンク受信機能をサポートすれば、Ｈ−ＲＮＴＩ変数を削除し、ＨＳ＿ＤＳＣＨ＿ＲＥＣＥＰＴＩＯＮ＿ＯＦ＿ＣＣＣＨ変数を真に設定し、ＵＥは共通Ｈ−ＲＮＴＩで高速ダウンリンク受信機能を実行する。
【００１２】
それに反して、選ばれたセル／ＵＲＡが高速ダウンリンク受信機能をサポートしない場合、ＳＩＢタイプ５／５ｂｉｓとＳＩＢタイプ６には関連のＩＥが含まれず、ＨＳ＿ＤＳＣＨ＿ＲＥＣＥＰＴＩＯＮ＿ＣＥＬＬ＿ＦＡＣＨ＿ＳＴＡＴＥ変数は真から偽になる。それと同時にＨＳ＿ＤＳＣＨ＿ＲＥＣＥＰＴＩＯＮ＿ＯＦ＿ＣＣＣＨ変数が偽を保っていれば、前記機能判断プロセスによれば、ＵＥはＩＮＶＡＬＩＤ＿ＣＯＮＦＩＧＵＲＡＴＩＯＮ変数を真に設定する。しかしこの場合、ＵＥで非高速ダウンリンク機能でデータを受信することを可能にするために、上記構成は有効なはずである。したがって、ＩＮＶＡＬＩＤ＿ＣＯＮＦＩＧＵＲＡＴＩＯＮ変数を真に設定すれば、ＵＥはＲＲＣ接続を切断する。データ受信を再開するためには再接続を実行しなければならず、無線資源の浪費となる。
【発明の開示】
【発明が解決しようとする課題】
【００１３】
本発明は無線通信システムのＣＥＬＬ＿ＦＡＣＨ状態のＵＥにおいて、ＣＥＬＬ＿ＦＡＣＨ状態に対応する高速ダウンリンク機能の停止を判断する方法及び装置を提供することを課題とする。
【課題を解決するための手段】
【００１４】
本発明は、無線通信システムのＣＥＬＬ＿ＦＡＣＨ（セルフォワードアクセスチャネル）状態のＵＥ（ユーザー端末）において、ＣＥＬＬ＿ＦＡＣＨ状態に対応する高速ダウンリンク機能の停止を判断する方法を提供する。該方法は、専用Ｈ−ＲＮＴＩ（ＨＳ−ＤＳＣＨ無線ネットワークトランザクション識別子）に対応する専用変数の設定を起動状態から停止状態に変更する段階と、共通Ｈ−ＲＮＴＩに対応する共通変数の設定が停止状態であった場合に、上記専用変数の設定と共通変数の設定を有効なＲＲＣ構成と判断する段階とを含む。
【００１５】
本発明は更に、無線通信システムにおいてＣＥＬＬ＿ＦＡＣＨ状態に対応する高速ダウンリンク機能の停止を判断し、ＲＲＣ接続のセル段を回避するＣＥＬＬ＿ＦＡＣＨ状態の通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記憶する記憶装置とを含む。該プログラムコードは、専用Ｈ−ＲＮＴＩに対応する専用変数の設定を起動状態から停止状態に変更するコードと、共通Ｈ−ＲＮＴＩに対応する共通変数の設定が停止状態であった場合に、上記専用変数の設定と共通変数の設定を有効なＲＲＣ構成と判断するコードとを含む。
【発明を実施するための最良の形態】
【００１６】
かかる方法及び装置の特徴を詳述するために、具体的な実施例を挙げ、図を参照にして以下に説明する。
【００１７】
図１を参照する。図１は無線通信装置１００のブロック図である。説明を簡素化するために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示されている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。望ましくは、無線通信装置１００は第三世代移動通信システムに用いられ、ＣＥＬＬ＿ＦＡＣＨ状態の高速ダウンリンク機能（ＨＳ−ＤＳＣＨ受信機能を含む）をサポートする。
【００１８】
図２を参照する。図２は図１に示すプログラムコード１１２を表す説明図である。プログラムコード１１２はアプリケーション層２００と、第三層２０２と、第一層２１８に接続された第二層２０６を備える。第三層２０２に設けられたＲＲＣエンティティー２２２は第一層２１８と第二層２０６を制御し、ＲＲＣプロセスで基地局またはＵＴＲＡＮと高速ダウンリンク受信機能構成データを交換する。なお、ＲＲＣエンティティー２２２は無線通信装置１００のＲＲＣ状態をアイドリング状態、ＣＥＬＬ＿ＰＣＨ（セルページングチャネル）状態、ＵＲＡ＿ＰＣＨ（ＵＴＲＡＮ登録領域ページングチャネル）状態、ＣＥＬＬ＿ＦＡＣＨ状態、またはＣＥＬＬ＿ＤＣＨ（セル専用チャネル）状態に切り替えることができる。
【００１９】
無線通信装置１００は、（１）ＣＥＬＬ＿ＦＡＣＨ状態にあること、（２）Ｈ−ＲＮＴＩ変数（専用Ｈ−ＲＮＴＩに対応する）の設定が完了したこと、（３）ＳＩＢタイプ５／５ｂｉｓにダウンリンクＨＳ−ＰＤＳＣＨシステム情報ＩＥが含まれるか、またはＳＩＢタイプ６に接続モードダウンリンクＨＳ−ＰＤＳＣＨシステム情報ＩＥが含まれることなどの条件に合致した場合に、ＨＳ＿ＤＳＣＨ＿ＲＥＣＥＰＴＩＯＮ＿ＣＥＬＬ＿ＦＡＣＨ＿ＳＴＡＴＥ変数を真に設定することで、専用Ｈ−ＲＮＴＩで高速ダウンリンク受信機能を実行する。それに鑑みて、本発明の実施例ではプログラムコード１１２に高速受信機能停止プログラムコード２２０を設け、高速受信機能を正確に停止してＲＲＣ接続の切断を回避する。図３を参照する。図３は本発明の実施例による方法３０のフローチャートである。下記方法３０は無線通信システムのＣＥＬＬ＿ＦＡＣＨ状態のＵＥにおいてＣＥＬＬ＿ＦＡＣＨ状態に対応する高速ダウンリンク機能の停止を判断するプロセスを改善するのに用いられ、高速受信機能停止プログラムコード２２０としてコンパイルすることができる。
【００２０】
ステップ３００：開始。
ステップ３０２：専用Ｈ−ＲＮＴＩに対応する専用変数の設定を起動状態から停止状態に変更する。
ステップ３０４：共通Ｈ−ＲＮＴＩに対応する共通変数の設定が停止状態であった場合に、上記専用変数と共通変数の設定を有効なＲＲＣ構成と判断する。
ステップ３０６：終了。
【００２１】
以上のように、専用変数の設定が起動状態から停止状態になれば、ＵＥはまず共通変数を判断する。共通変数の設定が停止状態であれば、ＵＥは専用変数と共通変数の設定を有効なＲＲＣ構成と判断し、高速ダウンリンク受信機能を停止する。言い換えれば、専用Ｈ−ＲＮＴＩと共通Ｈ−ＲＮＴＩを使用しないとき、ＵＥは高速ダウンリンク受信機能を停止するのみで、前記両変数の設定が無効なＲＲＣ構成と判断しないことで、ＲＲＣ接続の切断を回避する。
【００２２】
望ましくは、前記専用変数はＨＳ＿ＤＳＣＨ＿ＲＥＣＥＰＴＩＯＮ＿ＣＥＬＬ＿ＦＡＣＨ＿ＳＴＡＴＥ変数であり、共通変数はＨＳ＿ＤＳＣＨ＿ＲＥＣＥＰＴＩＯＮ＿ＯＦ＿ＣＣＣＨ変数である。この場合、判断プロセスの過程において、ＨＳ＿ＤＳＣＨ＿ＲＥＣＥＰＴＩＯＮ＿ＣＥＬＬ＿ＦＡＣＨ＿ＳＴＡＴＥ変数がは真から偽になった場合、ＵＥはそれに続いてＨＳ＿ＤＳＣＨ＿ＲＥＣＥＰＴＩＯＮ＿ＯＦ＿ＣＣＣＨ変数を判断する。ＨＳ＿ＤＳＣＨ＿ＲＥＣＥＰＴＩＯＮ＿ＯＦ＿ＣＣＣＨ変数が偽の場合、ＵＥはＩＮＶＡＬＩＤ＿ＣＯＮＦＩＧＵＲＡＴＩＯＮ変数を偽に保持し、下位層（第一層２１８と第二層２０６）の高速ダウンリンク機能に関する動作を停止する。高速ダウンリンク機能に関する動作は、ＨＳ−ＤＳＣＨとＨＳ−ＳＣＣＨの動作を停止すること、専用Ｈ−ＲＮＴＩを削除すること、下位層関連装置を再設定すること、及び関連プロセスの資源をすべて解放することを含む。
【００２３】
したがって、上記方法３０によれば、セル／ＵＲＡの再選択により判断プロセスを実行し、かつ新たなセル／ＵＲＡが高速ダウンリンク機能をサポートしない場合では、ＵＥは高速ダウンリンク機能を停止するのみで、ＩＮＶＡＬＩＤ＿ＣＯＮＦＩＧＵＲＡＴＩＯＮ変数を真に設定しない。
【００２４】
以上のように、本発明の実施例では、判断プロセスの実行後にＵＥで非高速ダウンリンク機能でデータを受信することを確保し、不必要なＲＲＣ接続の切断を回避する。
【００２５】
なお、本発明の他の実施例として、無線通信システムにおいてＣＥＬＬ＿ＦＡＣＨ状態に対応する高速ダウンリンク機能の停止を判断し、ＲＲＣ接続のセル段を回避する通信装置であって、専用Ｈ−ＲＮＴＩに対応する専用変数の設定を起動状態から停止状態に変更し、共通Ｈ−ＲＮＴＩに対応する共通変数の設定が停止状態であった場合に、上記専用変数の設定と共通変数の設定を有効なＲＲＣ構成と判断する通信装置が挙げられる。この通信装置において、上記高速ダウンリンク機能は、ＣＥＬＬ＿ＦＡＣＨ状態のＨＳ−ＤＳＣＨ受信機能を含んでもよい。また、上記通信装置において、上記専用変数の設定を起動状態から停止状態に変更することは、ＨＳ＿ＤＳＣＨ＿ＲＥＣＥＰＴＩＯＮ＿ＣＥＬＬ＿ＦＡＣＨ＿ＳＴＡＴＥ変数の設定を真から偽に変更することであってよい。また、上記通信装置において、上記共通変数の設定が停止状態であることは、ＨＳ＿ＤＳＣＨ＿ＲＥＣＥＰＴＩＯＮ＿ＯＦ＿ＣＣＣＨ変数の設定が偽であることであってよい。また、上記通信装置において、上記専用変数の設定と共通変数の設定を有効なＲＲＣ構成と判断することは、ＩＮＶＡＬＩＤ＿ＣＯＮＦＩＧＵＲＡＴＩＯＮ変数を偽に保持することであってよい。
【００２６】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２７】
【図１】本発明の実施例による無線通信装置のブロック図である。
【図２】図１に示すプログラムコードを表す説明図である。
【図３】本発明の実施例による方法のフローチャートである。
【符号の説明】
【００２８】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  高速受信機能停止プログラムコード
２２２  ＲＲＣエンティティー
【図１】
2008245281.tif 000003
【図２】
2008245281.tif 000004
【図３】
2008245281.tif 000005